(57)【要約】【課題】ガラス等の透明部材を多用したエレベータに相応しい表示装置を備えたエレベータ装置を得る。【解決手段】外光の入口となる透明部分を有するかご室６と、かご室に設けられ、内蔵された液晶シャッターを不透明に動作させ外光を遮断する透明材２と、かご室に設けられ、透明材を被照射面とするプロジェクター３とを備え、一定間隔でプロジェクターに内蔵された投影画像補正画面を表示し、コントラストの増減を計測し、予め指定したコントラストを下回る場合に液晶シャッターを閉じる。【選択図】図３
2007331929.tif 000002
【特許請求の範囲】
【請求項１】
外光の入口となる透明部分を有するかご室と、
前記かご室に設けられ、内蔵された液晶シャッターを不透明に動作させ外光を遮断する透明材と、
前記かご室に設けられ、前記透明材を被照射面とするプロジェクターとを備え、
一定間隔で前記プロジェクターに内蔵された投影画像補正画面を表示し、コントラストの増減を計測し、予め指定したコントラストを下回る場合に前記液晶シャッターを閉じることを特徴とするエレベータ装置。
【請求項２】
外光の入口となる透明部分を有するかご室と、
前記かご室に設けられ、内蔵された液晶シャッターを不透明に動作させ外光を遮断する透明材と、
前記かご室に設けられ、前記透明材を被照射面とするプロジェクターとを備え、
前記液晶シャッターの動作と前記プロジェクターの表示・非表示をエレベータ位置に基づいて連動して制御することを特徴とするエレベータ装置。
【請求項３】
一部又は全部が透明で外部が見られる透明昇降路及び建築内にあり構造体の中が見える構造体昇降路とからなる昇降路と、前記透明昇降路及び前記構造体昇降路内を昇降移動し、外光の入口となる透明部分を有するかご室と、を備えたエレベータ装置において、
前記かご室に設けられ、内蔵された液晶シャッターを不透明に動作させ外光を遮断する透明材と、
前記かご室に設けられ、前記透明材を被照射面とするプロジェクターとを備え、
前記かご室の位置が透明昇降路にある時は前記液晶シャッターを透明にして前記プロジェクターを非表示とし、かつ前記かご室の位置が構造体昇降路にある時は前記液晶シャッターを不透明にして前記プロジェクターを表示させることを特徴とするエレベータ装置。
【発明の詳細な説明】
【技術分野】
【０００１】
この発明は、例えばエレベータの乗場の戸、かごの戸およびかご室壁等や展望用窓部などに使用される液晶シャッターが内蔵されている透明部材に表示するプロジェクターを備えたエレベータ装置に関するものである。
【背景技術】
【０００２】
従来、例えばエレベータの乗場の戸、かごの戸およびかご室壁等に使用される表示装置に文字・画像等の情報を表示する場合、液晶やブラウン管などのモニターを固定的に組み込み表示する方法がある。また、プロジェクターを用いる場合でもスクリーン用の素材を貼り付け、表示させる方法を行っている（例えば、特許文献１参照）。
【０００３】
【特許文献１】特開２００１−１３０８４５号公報
【発明の開示】
【発明が解決しようとする課題】
【０００４】
上記のような従来の表示装置による表示方法において、現在のエレベータの主流であるガラス等の透明部材を多用したタイプのものでは、ガラス部分から外光が入ってくるため、表示装置の表示が光の映り込みにより見えなくなることがあった。また表示装置を大きくしようとしても、ガラス部分への取り付けは強化ガラスにする必要があり、それだけでガラスのコストが倍程度になってしまう。その上、穴加工が高価であり、表示しない場合に折角のガラスが表示装置で塞がれてしまうなどの問題がある。また、スクリーン用素材をガラス部分に貼り付けると、当然ガラスの透過性が悪化し、折角の開放感が得られず、透過性の良いものを使用すると、プロジェクターの画像が明確に視認できない程度となったり、外光に影響され視認するのが難しく、使用するには問題があった。
【０００５】
この発明は上記のような課題を解決するためになされたもので、ガラス等の透明部材を多用したエレベータに相応しい表示装置を備えたエレベータ装置を提供することを目的としている。
【課題を解決するための手段】
【０００６】
この発明に係るエレベータ装置においては、外光の入口となる透明部分を有するかご室と、かご室に設けられ、内蔵された液晶シャッターを不透明に動作させ外光を遮断する透明材と、かご室に設けられ、透明材を被照射面とするプロジェクターとを備え、一定間隔でプロジェクターに内蔵された投影画像補正画面を表示し、コントラストの増減を計測し、予め指定したコントラストを下回る場合に液晶シャッターを閉じるものである。
【０００７】
また、一部又は全部が透明で外部が見られる透明昇降路及び建築内にあり構造体の中が見える構造体昇降路とからなる昇降路と、透明昇降路及び構造体昇降路内を昇降移動し、外光の入口となる透明部分を有するかご室と、を備えたエレベータ装置において、かご室に設けられ、内蔵された液晶シャッターを不透明に動作させ外光を遮断する透明材と、かご室に設けられ、透明材を被照射面とするプロジェクターとを備え、かご室の位置が透明昇降路にある時は液晶シャッターを透明にしてプロジェクターを非表示とし、かつかご室の位置が構造体昇降路にある時は液晶シャッターを不透明にしてプロジェクターを表示させるものである。
【発明の効果】
【０００８】
この発明によれば、昇降路がガラス等の透明昇降路か構造体昇降路かの区別を予め設定しておくことにより、見栄えの悪い個所をエレベータ使用者に見せることなくエレベータ使用時間を過ごすことが可能となる。また、取り付けコストが非常に高く、折角のガラス面を遮り、開放感を阻害する機器の取り付けが不要で、一般の機器では不可能な大画面化ができる。
【発明を実施するための最良の形態】
【０００９】
実施の形態１.
図１はこの発明の実施の形態１におけるエレベータ装置のかご室の要部を示す断面図、図２は液晶シャッターを不透明動作させてプロジェクターの画像表示を可能とした状態を示す図１相当図、図３はこの発明の実施の形態１におけるエレベータ装置のかご室全体を示す断面図、図４はプロジェクターの焦点の自動調整機構起動した状態を示す図３相当図、図５はガラス面等を通過する外光量の増加に伴い、焦点の自動調整用パターンのＳ／Ｎ比が低下することを示す図３相当図である。
【００１０】
図において、１はガラス等の透明部材からなるかご室天井、２は両面をガラス等の透明部材によりサンドイッチされた液晶シャッターが内蔵された透明部材で、かご室側面壁を構成する液晶スクリーンとなる。３はエレベータかご室の天井等に取り付けられたプロジェクターである。
【００１１】
動作を説明する。先ずプロジェクター３を表示する際には液晶スクリーン２を動作させる。ここでは、液晶スクリーン２の液晶シャッターを不透明にすると同時に、プロジェクター３の画像表示が可能になる。プロジェクター３は市販の機器が流通しており、図２に示すように、かご室天井等に取り付けた場合の光線の投影範囲・歪みや焦点は、機器に備えられている自動調整機構４により、最適に調整される。
次に、エレベータのかご室として見た場合は、図３に示すように、一般的にエレベータの位置表示やかご操作盤５がかご室６の出入口側に設けられるケースが多い。またユニバーサルデザインの定着により、近年は側面壁に取り付ける場合も増えている。いずれにしても、ガラスを多用したエレベータのかご室６では、外光の取り入れ口となるガラス面に相対する面にこれら位置表示やかご操作盤５等の操作表示器具が取り付けられるケースが一般的である。
プロジェクター３の投影の有無にかかわらず、図４、図５に示すように、一定時間毎にプロジェクター３に備えられている焦点の自動調整機構４を起動する。するとかご室６のガラス面を通過する外光量７の増加に伴い、焦点の自動調整用パターンのＳ／Ｎ比が低下することになる。この閾値を指定しておき、プロジェクター３での投影有無にかかわらず液晶スクリーン２の液晶シャッターを不透明に動作させて、外光を遮断する。すると位置表示やかご操作盤５等の操作表示器具の表示が外光の影響を受けにくくなり、使用者に容易に表示が認識でき、操作性が向上する。
【００１２】
この実施の形態１によれば、一定間隔でプロジェクター３に内蔵された投影画像補正画面を液晶スクリーン２に表示し、そのコントラストの増減を計測し、予め指定したコントラストすなわち閾値を下回る場合に液晶スクリーン２の液晶シャッターを不透明に動作させる。これにより、かご室６のガラス面を通過する外光が増加したことを定期的に計測し、外光量が増え過ぎた場合に液晶スクリーン２の液晶シャッターを不透明に動作させて、かご室６内の表示の視認性を確保するため、エレベータ使用者が使いにくい状況を未然に防止でき、快適なエレベータの使用状況が得られる。
【００１３】
実施の形態２.
図６はこの発明の実施の形態２におけるエレベータ装置の適用例である建物全体構造を示す縦断面図である。ここでは最近多くなっている一部或いは全部の昇降路がガラス等の透明部材となっているタイプである。
【００１４】
実施の形態２においては、この図６の場合、１階、２階、９階、１０階はガラス等からなる透明昇降路１１となっており、昇降路すなわち、かご室６内から外部が見える状況である。
次に、３階〜８階は建築内となり、シャフトは構造体昇降路１２の中を通過する。この場合、かご室６内から見られるものは建築構造体や配線、配管など（図示せず）であり、エレベータ使用者にとっては、見栄えの悪いものを見せられることになる。
【００１５】
そのため、エレベータのかご位置情報と液晶スクリーン２の液晶シャッターとプロジェクター３を連動させ、かご位置が透明昇降路１１から構造体昇降路１２にかかり始めた時に、液晶スクリーン２の液晶シャッターを不透明に動作させ、プロジェクター３による表示を開始する。これにより、エレベータ使用者は見栄えの悪い建築構造体や配線、配管などを見ることなく、快適にエレベータ使用時間を過ごすことが可能となる。
【００１６】
この実施の形態２によれば、昇降路が透明昇降路か、構造体昇降路かの区別を予め設定しておくことにより、見栄えの悪い個所をエレベータ使用者に見せることなくエレベータの使用時間を過ごすことが可能となる。また、取り付けコストが非常に高く、折角のガラス面を遮り開放感を阻害する機器の取り付けが不要となり、一般の機器では不可能な大画面化が可能となる。
【００１７】
また、この方法は一般の位置表示などにも兼用でき、図示されているような正面壁のみならずドア側、側面壁等にも使用できる。これにより、ガラス等の透明部材を多用したエレベータの大画面表示と開放感の確保が両立でき、また一般の表示器が使用されている場合でも、視認性を確保できるようになる。
【図面の簡単な説明】
【００１８】
【図１】この発明の実施の形態１におけるエレベータ装置のかご室の要部を示す断面図である。
【図２】液晶シャッターを動作させてプロジェクターの画像表示を可能とした状態を示す図１相当図である。
【図３】この発明の実施の形態１におけるエレベータ装置のかご室全体を示す断面図である。
【図４】プロジェクターの焦点の自動調整機構起動した状態を示す図３相当図である。
【図５】ガラス面等を通過する外光量の増加に伴い、焦点の自動調整用パターンのＳ／Ｎ比が低下することを示す図３相当図である。
【図６】この発明の実施の形態２におけるエレベータ装置の適用例である建物全体構造を示す縦断面図である。
【符号の説明】
【００１９】
１  ガラス等の透明部材からなるかご室天井
２  かご室側面壁を構成する液晶スクリーン（透明部材）
３  プロジェクター
４  自動調整機構
５  かご操作盤（操作表示器具）
６  かご室
７  外光量
１１  透明昇降路
１２  構造体昇降路
【図１】
2007331929.tif 000003
【図２】
2007331929.tif 000004
【図３】
2007331929.tif 000005
【図４】
2007331929.tif 000006
【図５】
2007331929.tif 000007
【図６】
2007331929.tif 000008